(57)【特許請求の範囲】
【請求項１】
相対する一対の平面(1)の外周縁(2)同士が周面(3)で繋がったブロック体(4)を構成しており、該ブロック体(4)は軸線(X)と平行に該周面(3)に鉄筋受け用の複数の凹部(7)が設けられたスペーサーにおいて、
該複数の凹部(7)のそれぞれには該周面(3)上で両側に支持突起(8)が現出した変形部(14)が対設され、
該支持突起(8)は一方の支持突起(81)が１個で、他方の支持突起(82)が２個となっており、
該１個の支持突起(81)と該２個の支持突起(82)とが、該周面(3)の周方向に沿って交互に設けられており、
該１個の支持突起(81)は該変形部(14)から外方へ突出し、該２個の支持突起(82)は該変形部(14)の両側縁部から外方へ相対して突出しており、該１個の支持突起(81)及び該２個の支持突起(82)の突出端を含む背向面(9)が型枠(P)との接触面となっている
ことを特徴とする突起付きスペーサー。
【請求項２】
該平面(1)は隅角部(11)が凸曲線(12)となった四角形で、該周面(3)も該凸曲線(12)に沿う凸曲面(13)となっており、該支持突起(8)は該凸曲面(13)上に現出している請求項１に記載の突起付きスペーサー。
【発明の詳細な説明】
【技術分野】
【０００１】
本発明は鉄筋コンクリート構造物において鉄筋と構造物表面間にコンクリートのカブリを確保するために使用される突起付きスペーサーに関する。
【背景技術】
【０００２】
スペーサーは鉄筋に取り付けられて型枠に当てられ、鉄筋と型枠間にスペースを形成して打設コンクリートによるカブリを確保する。打設コンクリートはこのスペーサーが型枠と線接触している部分には回り込めないので、脱型するとその部分がコンクリート製品の外面に目視できる程度の幅の痕跡として現れてしまう。製品が床版や外壁のように大気に露出するものの場合、この痕跡が長期にわたって風雨に晒されると、肌欠けや浸水の原因になり、鉄筋の腐食に繋がる。また、体裁も良くない。
鉄筋の荷重が大きいと１個のスペーサーでは荷重に耐えられず崩壊する危険があるので、大型のスペーサーを採用し、又は普通のスペーサーを複数個連設する。この場合、コンクリート製品の表面に現れる痕跡の幅および長さは更に大となるので、一線状に製品表面が剥離する可能性が大で、剥離してしまうとコンクリート本体の悪化を招く。
そこで、スペーサーを型枠と点接触させるようにしたものが特開２００３−３６０８号公報（特許文献１）に開示されている。
【先行技術文献】
【特許文献】
【０００３】
【特許文献１】特開２００３−３６０８号公報
【発明の概要】
【発明が解決しようとする課題】
【０００４】
特開２００３−３６０８号公報に示されたスペーサーは、スペーサー本体(1)の一面に深浅のかぶりを確保するための支持溝(2)を設け、他面に凸部(3)を設けたもので、支持溝(2)と凸部(3)が設けられる面は特定されており、位相を変えての使用は意図されていない。
【０００５】
本発明の目的は、スペーサーの周面上に支持突起を鉄筋受け用の凹部を挟んで対設することにより、スペーサーと型枠の線接触を凹部の選択で位相を変えて使用する場合でも充填コンクリートの流動性を確保し、スペーサーが単体の場合はもとより、複数個を連設して使用する場合でも、型枠面とスペーサーの凹部面間の隙間に充填コンクリートを回り込みやすくして、その欠落による肌欠けを防止できる突起付きスペーサーを提供することにある。
【課題を解決するための手段】
【０００６】
（請求項１）本発明に係る突起付きスペーサーは、相対する一対の平面の外周縁同士が周面で繋がったブロック体を構成しており、その軸線上に結束材の挿通孔が穿たれ、該ブロック体は軸線と平行に該周面に鉄筋受け用の複数の凹部が設けられた型式のものを対象としている。
【０００７】
該複数の凹部のそれぞれには該周面上で両側に支持突起が現出した変形部が対設される。該支持突起は一方の支持突起が１個で、他方の支持突起が２個となっている。
該１個の支持突起と該２個の支持突起とが、該周面の周方向に沿って交互に設けられている。
そして、該１個の支持突起は該変形部から外方へ突出し、該２個の支持突起は該変形部の両側縁部から外方へ相対して突出しており、該１個の支持突起及び該２個の支持突起の突出端を含む背向面が型枠との接触面となっている。
【０００８】
該複数の凹部の一つに収容された鉄筋の下端縁と、該凹部のある周面に背向する周面上の凹部を挟んで対設された支持突起の先端を含む平面間の垂直寸法が、コンクリートのかぶり寸法となっている。
【０００９】
突起付きスペーサーを一つの凹部で鉄筋に取り付け、この凹部と背向する周面上の支持突起を型枠に当接する。突起付きスペーサーを当接する型枠面は平坦な場合もあるが、反復使用するとコンクリー片が残留して凹凸を生じていることがある。また、コンクリート製品に応じてそれに適したかぶり寸法を選択したいこともある。前者の場合、スペーサーの突起は、凹部を挟んで一方が１個、他方が２個で、型枠に対してはこれらの突出端を含む３点接触となるので、型枠に対する設置の安定性が増す。また、後者の場合、どの凹部を選択してもこの凹部に相対する背向面は型枠に対して３点接触となるので、常に安定した鉄筋支持をなすことができる。
【００１０】
また、１個の支持突起や２個の支持突起と型枠の間に細隙が出来るので、これらの細隙を通って凹部と型枠間の隙間にコンクリートが流れ込んで充実し、スペーサーを複数個連設して重鉄筋を支持させた場合にも充填不足に伴って一線状に製品の表面に剥離を生じることを無くせる。
【００１１】
型枠内にコンクリートを充填し、これが固化すれば型枠を外し、製品を得る。鉄筋は製品の表面から突起付きスペーサーで確保されたコンクリートのカブリ寸法分だけ内側に埋設されるので、雨水や化学薬品等の影響を防止できる。
【００１２】
なお、公知の通り、該平面に自身の外周が該凹部と接近状態にある凹面を設け、該凹面に該凹部の近傍でカブリ寸法の表示を該平面の水準内で立設しておけば、表示が見易く、手で触れても判断でき、衝撃は平面が受けて表示を保護するので欠けたりせず、カブリ寸法の確認を簡単かつ正確に行える。
【００１３】
（請求項２）該平面は隅角部が凸曲線となった四角形で、該周面も該凸曲線に沿う凸曲面となっており、該支持突起は該凸曲面上に現出していてもよい。
こうすると、単一の突起付きスペーサーで４種類のかぶり寸法の提供が可能となる。
【発明の効果】
【００１４】
（請求項１）本発明の突起付きスペーサーによれば、鉄筋受け用の複数の凹部のそれぞれには周面上で両側に支持突起が現出した変形部が対設され、該支持突起は一方の支持突起が１個で、他方の支持突起が２個となっており、該１個の支持突起と該２個の支持突起とが、該周面の周方向に沿って交互に設けられており、該１個の支持突起は該変形部から外方へ突出し、該２個の支持突起は該変形部の両側縁部から外方へ相対して突出しており、該１個の支持突起及び該２個の支持突起の突出端を含む背向面が型枠との接触面となっているので、鉄筋の支持にどの凹部を選択しても、この凹部に相対する背向面は型枠に対して３点支持となり、常に安定した鉄筋支持が可能となる。
【００１５】
また、スペーサーと型枠間に出来る隙間にも支持突起の周りを通ってコンクリートが流れ込むので、スペーサーが単一の場合はもちろん、複数個連設して重鉄筋を支持させた場合にもこの隙間に充填でき、充填不足に伴って一線状に製品の表面に剥離を生じさせることを無くせる。
【００１６】
請求項２によれば、単一の突起付きスペーサーで４種類のかぶり寸法の提供が可能となる。
【図面の簡単な説明】
【００１７】
【図１】本発明にかかる突起付きスペーサーの具体例を示す斜面図である。
【図２】正面図である。
【図３】左側面図である。
【図４】右側面図である。
【図５】平面図である。
【図６】突起付きスペーサーの４個を連設した状態の斜面図である。
【発明を実施するための形態】
【００１８】
（請求項１）以下に本発明にかかる突起付きスペーサーの実施形態を図面につき説明する。
図面では四角形のスペーサーを例示し、凹部７が４つの周面に各別に設けられているが、周面の選択は自由である。このスペーサーは、相対する一対の平面１の外周縁２同士が周面３で繋がったブロック体４を構成しており、その軸線Ｘ上に結束材５の挿通孔６が穿たれ、この軸線Ｘと平行に周面に鉄筋Ｔの受け用の凹部７が設けられた型式のものを対象とする。
【００１９】
複数の凹部７のそれぞれには周面３上で両側に支持突起８が現出した変形部１４が対設される。これらの支持突起８は一方の支持突起８１が１個で、他方の支持突起８２が２個となっている。この１個の支持突起８１とこの２個の支持突起８２とが、周面３の周方向に沿って交互に設けられている。そして、この１個の支持突起８１は変形部１４から外方へ突出し、また２個の支持突起８２は変形部１４の両側縁部から外方へ相対して突出しており、この１個の支持突起８１及び２個の支持突起８２の突出端を含む背向面９が型枠Ｐとの接触面となっている。
【００２０】
平面１は、自身の外周が凹部７と近接状態にある凹面１ａを有し、この凹面１ａに凹部７の近傍でカブリ寸法や商標等の表示１ｂが平面１上に突き出ない範囲で立設されている。
【００２１】
ブロック体の外形はＳ形、三角形、四角形、五角形等、種々あるが、図示の例示のように四角形が一般的である。このスペーサーで、凹部７に載せられた鉄筋Ｔの下縁と、この凹部７と背向する周面３上に対設された支持突起８の先端を含む背向面９間の垂直寸法Ｌが、即ちコンクリートのかぶり寸法となっている。
【００２２】
突起付きスペーサーを、複数の凹部７の中から必要とするかぶり寸法を提供する凹部７を選んで鉄筋Ｔに取り付け、この凹部７と反対側の面、即ち背向面９を型枠Ｐに当接する。      
突起付きスペーサーが型枠Ｐに接触する面は平坦な場合もあるが、異物が付着して凹凸を形成している場合もある。このような凹凸があっても、選ばれた凹部７の背向面９は型枠Ｐに対し支持突起８１と、８２及び８２による３点支持なので、安定して当接できる。
【００２３】
型枠内にコンクリートを充填する。スペーサーと型枠間に出来る隙間Ａにも１個の支持突起８１や２個の支持突起８２、８２と型枠Ｐの間の細隙Ｓ１やＳ２を通ってコンクリートが流れ込むので、スペーサーが単一の場合はもちろん、複数個連設して重鉄筋を支持させた場合にもこの隙間Ａに充填でき、充填不足に伴って一線状に製品の表面に剥離を生じさせることを無くせる。
【００２４】
コンクリートが固化すれば型枠Ｐ外し、製品を得る。鉄筋Ｔは製品の表面から突起付きスペーサーで確保されたコンクリートのカブリ寸法Ｌ分だけ内側に埋設されるので、雨水や化学薬品等の影響を防止できる。
【００２５】
なお、公知の通り、平面１に自身の外周が凹部７と接近状態にある凹面１ａを設け、この凹面１ａに凹部７の近傍でカブリ寸法や商標等の表示１ｂをこの平面１上に突き出ないように立設しておけば、これらが見易く、手で触れても判断でき、衝撃は平面１が受けて表示１ｂを保護するので欠けたりせず、垂直寸法Ｌ、即ちカブリ寸法を表示１ｂで簡単かつ正確に行える。
【００２６】
（請求項２）平面１は隅角部１１が凸曲線１２となった四角形で、周面３もこの凸曲線１２に沿う凸曲面１３なっており、支持突起８は凸曲面１３上に現出している。
この場合、単一のスペーサーで４種類のかぶり寸法の提供が可能となる。
【符号の説明】
【００２７】
１    平面
２    外周縁
３    周面
４    ブロック体
５    結束材
６    挿通孔
７    凹部
８    支持突起
９    背向面
１１  隅角部
１２  凸曲線
１３  凸曲面
１４  変形部
８１  １個の支持突起
８２  ２個の支持突起
Ｘ    軸線
Ｔ    鉄筋
Ｐ    型枠
Ｌ    垂直寸法
【図１】
0006297774.tif 000002
【図２】
0006297774.tif 000003
【図３】
0006297774.tif 000004
【図４】
0006297774.tif 000005
【図５】
0006297774.tif 000006
【図６】
0006297774.tif 000007